(57)【要約】【課題】居室親機を設置した部屋以外でも来訪者の存在を認識でき、且つ安価に実施できるインターホン装置を提供する。【解決手段】家屋内に居室親機２に加えて無線受信機３を設け、居室親機２に親機側ＩＤ設定部１５、親機側ＩＤ設定部１５で設定したＩＤ情報を含有した呼出情報をデータ化する親機側データ成形部１６、データ化した呼出情報を電波で送信するための送信部１７を設け、無線受信機３に、ＩＤ情報が含有された呼出情報の電波を受信する受信部２１、受信した呼出情報を成形する受信機側データ成形部２２、受信機側ＩＤ設定部２３、呼出情報の電波に含有されたＩＤ情報と受信機側ＩＤ設定部２３で設定したＩＤ情報とを比較する制御部２４、そして制御部２４で比較した双方のＩＤ情報が一致した場合に光により報知動作する報知部２５とを設けた。【選択図】　図１
2004112484.tif 000002
【特許請求の範囲】
【請求項１】
居住者を呼出すための呼出部及び通話するためのマイク，スピーカを有する玄関子機と、前記呼出部からの呼出信号を検出する呼出検出部及び前記呼出検出部の検出動作で呼出しを報知する呼出音発生部、そして来訪者と通話を行うための通話部、更に電波により呼出情報を発する送信部を有する居室親機と、前記呼出情報により動作する無線受信機とから成るインターホン装置であって、
前記居室親機は、近隣との誤動作を防ぐための親機側ＩＤ設定部と、前記親機側ＩＤ設定部で設定したＩＤ情報を含有した呼出情報をデータ化する親機側データ成形部を備え、データ化した呼出情報を前記送信部から送信し、
前記無線受信機は、ＩＤ情報が含有された前記呼出情報の電波を受信するための受信部と、受信した前記呼出情報を成形する受信機側データ成形部と、近隣との誤動作を防ぐための受信機側ＩＤ設定部と、前記呼出情報の電波に含有されたＩＤ情報と前記受信機側ＩＤ設定部で設定したＩＤ情報とを比較する制御部と、前記制御部で比較したＩＤ情報が一致した場合に報知動作する報知部とを備えたことを特徴とするインターホン装置。
【請求項２】
前記無線受信機は、前記居室親機に対して複数個設けられ、前記複数個の無線受信機は同一のＩＤ情報が設定されている請求項１記載のインターホン装置。
【請求項３】
前記報知部は、光により報知動作する請求項１又は２記載のインターホン装置。
【発明の詳細な説明】
【０００１】
【発明の属する技術分野】
本発明は、インターホン装置に関し、特に玄関子機から呼出しがあったことを居室親機を設置した部屋以外の場所でも認識できるインターホン装置に関する。
【０００２】
【従来の技術】
居室親機を設置した部屋以外でも玄関子機からの呼出しを認識できるようにした従来のインターホン装置としては、増設スピーカを設けたものや居室親機以外に居室親機と同等の機能を備えた副親機を設けて、その副親機を無線通信により動作させたワイヤレス通話システムを構成したものがある。
増設スピーカを設けたものは図２の回路ブロック図に示すように、玄関子機３１がマイク３２、スピーカ３３、呼出部３４、電源部３５を備え、居室親機３７が、呼出検出部３８、呼出音発生部３９、スピーカ４０、ハンドセット通話部４１、制御部４２、電源部４３を備えている。そして、呼出しを別の場所で認識するために増設スピーカ４４が設けられている。増設スピーカ４４は信号線４５により居室親機３７の呼出音発生部３９に接続され、玄関子機３１と居室親機３７の間も信号線４６で接続されている。
【０００３】
そして、玄関子機３１の呼出部３４が来訪者により操作されると、居室親機３７の呼出検出部３８が呼出しを検出する。すると制御部４２が呼出音発生部３９を動作させて、スピーカ４０から呼出音を鳴動させ、来訪者が居ることを居住者に知らせる。同時に、呼出音発生部３９より信号線４５を介して接続されている増設スピーカ４４も鳴動し、他の居室でも来訪者が居ることを報知する。
また、呼出音発生部３９より信号線４６を介して玄関子機３１のスピーカ３３より呼出確認音が鳴り、来訪者に対して呼出しを居室親機３７が受け取ったことを知らせる。
そして、呼出しを確認した居住者がハンドセット通話部４１を取り上げると、制御部４２がそれを検知して信号線４６を介してハンドセット通話部４１と玄関子機３１のマイク３２及びスピーカ３３との間で通話状態となる。
【０００４】
居室親機以外に副親機を設けたワイヤレス通話システムは、その副親機と居室親機とを無線通信させることで副親機を移動可能とし、任意の部屋で来訪者の存在を知ることができ、更に副親機を用いて応答操作を可能としている。（例えば、特許文献１参照。）。
【０００５】
【特許文献１】
特開２０００−２２４３１６号公報
【０００６】
【発明が解決しようとする課題】
しかし、上記従来の増設スピーカ４４を設けたインターホン装置は、増設スピーカ４４が鳴動することで居室親機３７が設置されていない部屋でも来訪者があることを認識できるが、居室親機３７の設置された部屋以外の１部屋でしか認識できず、それ以外の部屋では来訪者があったことがわからない。
また、上記ワイヤレス通話システムは副親機を移動できるので、増設スピーカに比べて有効に来訪者の存在を認識できるし、更に応答もできるので便利であるが、副親機は居室親機と同等の機能を有しているために構成が複雑で高価であった。
そこで、本発明は上記問題点に鑑み、居室親機の設置された部屋以外でも来訪者があったことを容易に認識でき、且つ安価に実施できるインターホン装置を提供することを目的とする。
【０００７】
【課題を解決するための手段】
上記課題を解決するため、請求項１の発明は、居住者を呼出すための呼出部及び通話するためのマイク，スピーカを有する玄関子機と、呼出部からの呼出信号を検出する呼出検出部及び呼出検出部の検出動作で呼出しを報知する呼出音発生部、そして来訪者と通話を行うための通話部、更に電波により呼出情報を発する送信部を有する居室親機と、呼出情報により動作する無線受信機とから成るインターホン装置であって、居室親機は、近隣との誤動作を防ぐための親機側ＩＤ設定部と、親機側ＩＤ設定部で設定したＩＤ情報を含有した呼出情報をデータ化する親機側データ成形部を備え、データ化した呼出情報を送信部から送信し、無線受信機は、ＩＤ情報が含有された呼出情報の電波を受信するための受信部と、受信した呼出情報を成形する受信機側データ成形部と、近隣との誤動作を防ぐための受信機側ＩＤ設定部と、呼出情報の電波に含有されたＩＤ情報と受信機側ＩＤ設定部で設定したＩＤ情報とを比較する制御部と、制御部で比較したＩＤ情報が一致した場合に報知動作する報知部とを備えたことを特徴とする。
この構成により、無線受信機は受信機能のみ有するので携帯が容易なように小型に作製できる。そのため、居住者は無線受信機を携帯することでどの部屋にいても来訪者の存在を知ることができる。しかも、ＩＤ設定部を備えるので近隣に同様の装置が設けられていても誤動作することがないし、回路構成は比較的簡易なので安価に作製できる。
【０００８】
請求項２の発明は、請求項１の発明において、無線受信機は、居室親機に対して複数個設けられ、複数個の無線受信機は同一のＩＤ情報が設定されていることを特徴とする。
この構成により、例えば居室親機のない夫々の部屋に無線受信機を設置でき、居住者は確実に来訪者の存在を知ることができる。また、同一のＩＤ情報を設定することで、居室親機の発する呼出情報により各無線受信機は同時に報知動作するので、居住者はスムーズに対応することができる。
【０００９】
請求項３の発明は、請求項１又は２の発明において、報知部は、光により報知動作することを特徴とする。
この構成により、複数の無線受信機を使用していても報知動作が騒音となることがないし、省電力化を図ることができるのでバッテリー駆動にしても長寿命化を図ることができる。
【００１０】
【発明の実施の形態】
以下、本発明を具体化した実施の形態を、図面に基づいて詳細に説明する。図１は本発明に係るインターホン装置の一例を示す回路ブロック図であり、玄関子機１と居室親機２と無線受信機３とで構成され、玄関子機１と居室親機２とは信号線４で接続されている。
【００１１】
玄関子機１は、マイク６と、スピーカ７と、呼出部８と、電源部９とを備え、居室親機２は、呼出検出部１１と、呼出音発生部１２と、スピーカ１３と、ハンドセット通話部１４と、近隣との誤動作を防ぐための親機側ＩＤ設定部１５と、親機側ＩＤ設定部１５で設定したＩＤ情報を含有した呼出情報をデータ化する親機側データ成形部１６と、データ化した呼出情報を電波で送信するアンテナから成る送信部１７と、各部を制御する制御部１８と、電源部１９とを備えている。
また、無線受信機３は、ＩＤ情報が含有された呼出情報の電波を受信するアンテナからなる受信部２１と、受信した呼出情報を成形する受信機側データ成形部２２と、近隣との誤動作を防ぐための受信機側ＩＤ設定部２３と、呼出情報の電波に含有されたＩＤ情報と受信機側ＩＤ設定部２３で設定したＩＤ情報とを比較する制御部２４と、制御部２４で比較したＩＤ情報が一致した場合に発光報知する発光ダイオードから成る報知部２５と、バッテリーから成る電源部２６とを備えている。
【００１２】
次に、このインターホン装置の動作を説明する。玄関子機１の呼出部８に備えられた呼出ボタンを来訪者が押下すると、信号線４を介して居室親機２の呼出検出部１１が呼び出しを検出して制御部１８に知らせる。すると制御部１８は呼出音発生部１２を動作させてスピーカ１３から呼出音を鳴らして居住者に来訪者があることを報知する。また、呼出音発生部１２より信号線４を介して玄関子機１のスピーカ７より呼出確認音が鳴り、来訪者に対して呼び出しを居室親機２が受け取ったことを知らせる。
同時に、制御部１８は、親機側ＩＤ設定部１５で設定したＩＤ情報を加えたデータを親機側データ成形部１６に送る。そして、親機側データ成形部１６は、ＩＤ情報を加えた呼出情報を成形し、送信部１７より成形した呼出情報データを発信し、呼び出しがあったことを微弱電波により無線受信機３に送る。
【００１３】
無線受信機３は、受信部２１で受信した呼出情報データを受信機側データ成形部２２でデータ化して制御部２４に送る。制御部２４は受け取ったデータが受信機側ＩＤ設定部２３の設定内容に一致しているかどうか判断し、一致すれば報知部２５を点灯若しくは点滅させる。そして、報知部２５の動作により呼出しを確認した居住者がハンドセットを取り上げると、それを制御部１８が認識して信号線４を介してハンドセット通話部１４と玄関子機１のマイク及びスピーカとの間で通話状態となる。
【００１４】
このように、無線受信機を備え、居室親機から電波で来訪者有りの信号を発して無線受信機を報知動作させるので、居住者は来訪者からの呼び出しがあったことを、居室親機の設置された以外の部屋にて知ることができる。そして、無線受信機は受信機能のみ有するので携帯が容易なように小型に作製できるので、居住者は無線受信機を携帯することでどの部屋にいても来訪者の存在を知ることができる。しかも、ＩＤ設定部を備えるので近隣に同様の装置が設けられていても誤動作することがないし、回路構成は比較的簡易なので安価に作製できる。
また、音を発生せずに報知するので、複数の無線受信機を使用していても報知動作が騒音となることがないし、光により報知動作させるので省電力化を図ることができ、無線受信機をバッテリー駆動にしても長寿命化を図ることができる。
【００１５】
更に、上記実施の形態では無線受信機を１つとしているが、複数設けることも容易に実施でき、携帯することなく各部屋に無線受信機を設置すれば、どの部屋に居ても来訪者の存在を容易に知ることができる。しかも、無線受信機を複数設けても、居室親機に対応した同一ＩＤに設定することで同時に報知動作するので、居住者は居室親機の呼出し動作とほぼ同時に来訪者の存在を知ることができ、スムーズに応対することができる。
尚、このように無線受信機を各部屋に設置する場合は、無線受信機の電源は商用電源を使用すると良いし、無線受信機の報知部は発光ダイオードでなくとも良い。
また、上記実施の形態は、電波によるデータ送信を居室親機により行っているが、呼出検出部、制御部、ＩＤ設定部、親機側データ成形部、送信部を独立した機器で作製すれば、既設のインターホン装置を用いて無線受信機を利用することが可能となり、安価に本装置を構築できる。
また、無線受信機の報知部は、携帯を前提とした場合はバイブレーション（振動）やブザー音による報知を加えるのも効果的である。
【００１６】
【発明の効果】
以上詳述したように、本発明によれば、居住者は無線受信機を携帯すれば何れの部屋にいても来訪者の存在を容易に認識でき、無線受信機は受信機能のみ有するので安価に然も小型に作製することができる。しかも、ＩＤ設定部を備えるので近隣に同様の装置が設けられていても誤動作することがない。また、無線受信機を各部屋に設置することも容易に実施でき、そうすれば居住者はどの部屋に居ても来訪者の存在を確実に知ることができる。
【図面の簡単な説明】
【図１】本発明のインターホン装置の実施形態の一例を示す回路ブロック図である。
【図２】従来のインターホン装置の回路ブロック図である。
【符号の説明】
１・・玄関子機、２・・居室親機、３・・無線受信機、４・・信号線、６・・マイク、７・・スピーカ、８・・呼出部、９・・電源部、１１・・呼出検出部、１２・・呼出音発生部、１３・・スピーカ、１４・・ハンドセット通話部（通話部）、１５・・親機側ＩＤ設定部、１６・・親機側データ成形部、１７・・送信部、１８・・制御部、１９・・電源部、２１・・受信部、２２・・受信機側データ成形部、２３・・受信機側ＩＤ設定部、２４・・制御部、２５・・報知部、２６・・電源部。
【図１】
2004112484.tif 000003
【図２】
2004112484.tif 000004